(57)【特許請求の範囲】
【請求項１】
接続された複数の画像記録装置に記録された画像のそれぞれを表示部に表示することが可能な画像表示装置であって、
接続されている第１の画像記録装置に記録されている画像の付加情報と、接続されている第２の画像記録装置に記録されている画像の付加情報を取得する取得手段と、
前記取得手段により取得された付加情報に基づいて、前記第１の画像記録装置に記録されている画像と、前記第２の画像記録装置に記録されている画像との間の関連性の有無を判定する判定手段と、
接続されている前記第１の画像記録装置のアイコンと、接続されている前記第２の画像記録装置のアイコンとを前記表示部に表示し、さらに、前記判定手段により関連性があると判定された場合、前記第１の画像記録装置と前記第２の画像記録装置との間に関連性があることを示すアイコンを前記表示部に表示するように制御する表示制御手段とを備え、
前記表示制御手段は、
前記第１の画像記録装置のアイコンが選択された場合は、前記第１の画像記録装置に記録されている画像を前記表示部に表示し、
前記第２の画像記録装置のアイコンが選択された場合は、前記第２の画像記録装置に記録されている画像を前記表示部に表示し、
前記関連性があることを示すアイコンが選択された場合は、前記第１の画像記録装置に記録されている画像と前記第２の画像記録装置に記録されている画像との対応関係を、前記表示部に表示するように制御することを特徴とする画像表示装置。
【請求項２】
前記第１の画像記録装置が前記画像表示装置に接続されている状態で、前記第２の画像記録装置が前記画像表示装置に接続されたことを検出する接続検出手段をさらに備え、
前記第１の画像記録装置が前記画像表示装置に接続されている状態で、前記第２の画像記録装置が前記画像表示装置に接続されたことが前記接続検出手段により検出されたことに応じて、前記判定手段が前記判定を行い、前記表示制御手段が前記関連性があることを示すアイコンを前記表示部に表示するように制御することを特徴とする請求項１に記載の画像表示装置。
【請求項３】
前記取得手段は、前記第１の画像記録装置に記録されている動画像の録画開始日時および録画終了日時を示す付加情報と、前記第２の画像記録装置に記録されている静止画像の撮影日時を示す付加情報とを取得し、
前記判定手段は、前記第２の画像記録装置に記録されている静止画像の撮影日時が、前記第１の画像記録装置に記録されている動画像の録画開始日時と録画終了日時との間に含まれる場合に、前記第１の画像記録装置に記録されている動画像と、前記第２の画像記録装置に記録されている静止画像との間に関連性があると判定することを特徴とする請求項１または請求項２に記載の画像表示装置。
【請求項４】
前記表示制御手段は、前記関連性があることを示すアイコンが選択された場合に、前記第１の画像記録装置に記録されている動画像の録画開始日時および録画終了日時の間のシーンと、当該動画像と関連性を有する静止画像であって、前記第２の画像記録装置に記録されている静止画像の撮影日時との対応関係を、前記表示部に表示するように制御することを特徴とする請求項３に記載の画像表示装置。
【請求項５】
前記取得手段は、前記第１の画像記録装置に記録されている１つ以上の画像の付加情報と、前記第２の画像記録装置に記録されている１つ以上の画像の付加情報を取得し、
前記判定手段は、前記第１の画像記録装置に記録されている１つ以上の画像のそれぞれと、前記第２の画像記録装置に記録されている１つ以上の画像のそれぞれとの間の関連性の有無を判定し、
前記表示制御手段は、前記判定手段により前記第１の画像記録装置に記録されている少なくとも１つの画像と前記第２の画像記録装置に記録されている少なくとも１つの画像との間に関連性があると判定された場合に、前記関連性があることを示すアイコンを前記表示部に表示するように制御することを特徴とする請求項１または請求項２に記載の画像表示装置。
【請求項６】
接続された複数の画像記録装置に記録された画像のそれぞれを表示部に表示することが可能な画像表示装置における画像表示方法であって、
接続されている第１の画像記録装置に記録されている画像の付加情報と、接続されている第２の画像記録装置に記録されている画像の付加情報を取得する取得工程と、
前記取得工程により取得された付加情報に基づいて、前記第１の画像記録装置に記録されている画像と、前記第２の画像記録装置に記録されている画像との間の関連性の有無を判定する判定工程と、
接続されている前記第１の画像記録装置のアイコンと、接続されている前記第２の画像記録装置のアイコンとを前記表示部に表示し、さらに、前記判定工程により関連性があると判定された場合、前記第１の画像記録装置に記録されている画像と、前記第２の画像記録装置に記録されている画像との間に関連性があることを示すアイコンを前記表示部に表示するように制御する表示制御工程とを備え、
前記表示制御工程は、
前記第１の画像記録装置のアイコンが選択された場合は、前記第１の画像記録装置に記録されている画像を前記表示部に表示し、
前記第２の画像記録装置のアイコンが選択された場合は、前記第２の画像記録装置に記録されている画像を前記表示部に表示し、
前記関連性があることを示すアイコンが選択された場合は、前記第１の画像記録装置に記録されている画像と前記第２の画像記録装置に記録されている画像との対応関係を、前記表示部に表示するように制御することを特徴とする画像表示方法。
【請求項７】
前記第１の画像記録装置が前記画像表示装置に接続されている状態で、前記第２の画像記録装置が前記画像表示装置に接続されたことを検出する接続検出工程をさらに備え、
前記第１の画像記録装置が前記画像表示装置に接続されている状態で、前記第２の画像記録装置が前記画像表示装置に接続されたことが前記接続検出工程により検出されたことに応じて、前記判定工程が前記判定を行い、前記表示制御工程が前記関連性があることを示すアイコンを前記表示部に表示するように制御することを特徴とする請求項６に記載の画像表示方法。
【請求項８】
前記取得工程は、前記第１の画像記録装置に記録されている動画像の録画開始日時および録画終了日時を示す付加情報と、前記第２の画像記録装置に記録されている静止画像の撮影日時を示す付加情報とを取得し、
前記判定工程は、前記第２の画像記録装置に記録されている静止画像の撮影日時が、前記第１の画像記録装置に記録されている動画像の録画開始日時と録画終了日時との間に含まれる場合に、前記第１の画像記録装置に記録されている動画像と、前記第２の画像記録装置に記録されている静止画像との間に関連性があると判定することを特徴とする請求項６または請求項７に記載の画像表示方法。
【請求項９】
前記表示制御工程は、前記関連性があることを示すアイコンが選択された場合に、前記第１の画像記録装置に記録されている動画像の録画開始日時および録画終了日時の間のシーンと、当該動画像と関連性を有する静止画像であって、前記第２の画像記録装置に記録されている静止画像の撮影日時との対応関係を、前記表示部に表示するように制御することを特徴とする請求項８に記載の画像表示方法。
【請求項１０】
前記取得工程は、前記第１の画像記録装置に記録されている１つ以上の画像の付加情報と、前記第２の画像記録装置に記録されている１つ以上の画像の付加情報を取得し、
前記判定工程は、前記第１の画像記録装置に記録されている１つ以上の画像のそれぞれと、前記第２の画像記録装置に記録されている１つ以上の画像のそれぞれとの間の関連性の有無を判定し、
前記表示制御工程は、前記判定工程により前記第１の画像記録装置に記録されている少なくとも１つの画像と前記第２の画像記録装置に記録されている少なくとも１つの画像との間に関連性があると判定された場合に、前記関連性があることを示すアイコンを前記表示部に表示するように制御することを特徴とする請求項６または請求項７に記載の画像表示方法。
【請求項１１】
請求項６から請求項１０までのいずれか１項に記載の画像表示方法の各工程をコンピュータに実行させるためのプログラムが格納されたコンピュータ読取り可能な記憶媒体。
【発明の詳細な説明】
【０００１】
【発明の属する技術分野】
本発明は、複数の画像記録装置により記録された画像のそれぞれを表示部に表示する画像表示装置、画像表示方法および記憶媒体に関する。
【０００２】
【従来の技術】
昨今、デジタルカメラ、デジタルビデオカメラ記録装置（以下、ＤＶＣという）などの撮影装置においては、その小型化、低価格化が図られ、手軽に入手することが可能なまでに普及し始めている。そして、この撮影装置を用いて撮影することができる。 そして、同一のシーンを複数の撮影装置を用いて撮影するような機会も増えつつある。
【０００３】
このような状況下においては、各撮影装置でそれぞれ撮影された同一のシーンを、１台のテレビジョン受像機（以下、ＴＶという）に接続し、視聴、鑑賞可能にすることが多くのユーザから要求されている。このように、異なる装置で同一のシーンを撮影したものを同時進行して視聴することができると、便利で、また楽しいものである。
【０００４】
【発明が解決しようとする課題】
しかしながら、ＤＶＣとデジタルカメラに限らず、複数の装置、メディアを１台のＴＶに接続し、それぞれの画像を視聴可能なシステムはほとんどない。また、あるとしても、それぞれ、独立の画面を表示、操作し、見ることが可能なシステムがあるだけである。
【０００５】
一方、ＤＶＣに記録された内容を検出し、ＤＶＣに何が記録されているかを表示して、ＤＶＣ視聴の手助けをするものとしては、各録画シーン最初のフレームをシーンの代表画像としてサムネイル表示するような方法があるが、録画シーンの最初が必ずそのシーンを代表するものになるとは言い難い。
【０００６】
また、録画映像をサーチし、その変化などにより、いくつかの画像を代表画像とするような動画検索ツールも存在するが、このようなツールはコンピュータ向けであり、このツールを用いると、コストアップとなり、また一般的ではない。
【０００７】
また、上記各ツールは、単にＤＶＣに何が記録されているかを検出するには有効であるが、同一シーンを撮影した他の装置と関連付けて視聴することを可能にするものではない。
【０００８】
さらに、複数のコンテンツに関連付けがあることを表示するものとして、特許公開２０００-２２２４１７号公報に記載のものがあるが、これは、最初に撮影した動画映像に対し、アフレコで録音した音声の有無を示すアイコン表示、また、関連して保存した静止画の有無を示すアイコン表示が、動画ウィンドウに付加され、関連情報の有無を認識させるものであるが、同一シーンを撮影した他の装置と関連付けて視聴することを可能にするものではない。
【０００９】
本発明の目的は、複数の画像記録装置により記録された画像を関連付けて表示することができる画像表示装置、画像表示方法および記憶媒体を提供することにある。
【００１０】
本発明の画像表示装置は、接続された複数の画像記録装置に記録された画像のそれぞれを表示部に表示することが可能な画像表示装置であって、接続されている第１の画像記録装置に記録されている画像の付加情報と、接続されている第２の画像記録装置に記録されている画像の付加情報を取得する取得手段と、前記取得手段により取得された付加情報に基づいて、前記第１の画像記録装置に記録されている画像と、前記第２の画像記録装置に記録されている画像との間の関連性の有無を判定する判定手段と、接続されている前記第１の画像記録装置のアイコンと、接続されている前記第２の画像記録装置のアイコンとを前記表示部に表示し、さらに、前記判定手段により関連性があると判定された場合、前記第１の画像記録装置と前記第２の画像記録装置との間に関連性があることを示すアイコンを前記表示部に表示するように制御する表示制御手段とを備え、前記表示制御手段は、前記第１の画像記録装置のアイコンが選択された場合は、前記第１の画像記録装置に記録されている画像を前記表示部に表示し、前記第２の画像記録装置のアイコンが選択された場合は、前記第２の画像記録装置に記録されている画像を前記表示部に表示し、前記関連性があることを示すアイコンが選択された場合は、前記第１の画像記録装置に記録されている画像と前記第２の画像記録装置に記録されている画像との対応関係を、前記表示部に表示するように制御することを特徴とする。
【００３６】
本発明の画像表示方法は、接続された複数の画像記録装置に記録された画像のそれぞれを表示部に表示することが可能な画像表示装置における画像表示方法であって、接続されている第１の画像記録装置に記録されている画像の付加情報と、接続されている第２の画像記録装置に記録されている画像の付加情報を取得する取得工程と、前記取得工程により取得された付加情報に基づいて、前記第１の画像記録装置に記録されている画像と、前記第２の画像記録装置に記録されている画像との間の関連性の有無を判定する判定工程と、接続されている前記第１の画像記録装置のアイコンと、接続されている前記第２の画像記録装置のアイコンとを前記表示部に表示し、さらに、前記判定工程により関連性があると判定された場合、前記第１の画像記録装置に記録されている画像と、前記第２の画像記録装置に記録されている画像との間に関連性があることを示すアイコンを前記表示部に表示するように制御する表示制御工程とを備え、前記表示制御工程は、前記第１の画像記録装置のアイコンが選択された場合は、前記第１の画像記録装置に記録されている画像を前記表示部に表示し、前記第２の画像記録装置のアイコンが選択された場合は、前記第２の画像記録装置に記録されている画像を前記表示部に表示し、前記関連性があることを示すアイコンが選択された場合は、前記第１の画像記録装置に記録されている画像と前記第２の画像記録装置に記録されている画像との対応関係を、前記表示部に表示するように制御することを特徴とする。
【００６０】
【発明の実施の形態】
以下に、本発明の実施の形態について図面を参照しながら説明する。
【００６１】
（実施の第１形態）
図１は本発明の実施の第１形態に係る画像表示システムの構成を示すブロック図である。
【００６２】
画像表示システムは、図１に示すように、デジタル放送を受信可能なテレビジョン受像機（以下、ＴＶ装置という）１を備える。ＴＶ装置１は、アンテナ１０１を介したテレビジョン放送（以下、ＴＶ放送という）の受信、リモコン装置２との間でのデータの送受信、ネットワークに接続された装置との間でのデータの送受信、装置本体の制御などを行い、ＴＶ画像データ、装置画像データ、各種アイコンデータ、制御情報などを表示する。
【００６３】
ＴＶ装置１には、後述する1394Ｉ／Ｆ部１３０（図２に示す）を介してデジタルビデオカメラ記録装置（以下、ＤＶＣ装置という）３などのＡＶ装置、コンピュータなどが接続可能であるとともに、メモリカードＩ／Ｆ部１７０を介して、デジタルカメラ５で撮影された画像を記録したメモリカード６が装着可能である。
【００６４】
リモコン装置２は、ＴＶ放送の視聴者により操作可能な複数のキーを有し、各キーの操作に応じて、ＴＶ装置１の制御、データ入力などを行うものである。
【００６５】
ＤＶＣ装置３は、動画像を撮影し、磁気テープメディアであるビデオカセット４に記録し、また、ビデオカセット４に記録された画像を再生可能である。また、ＤＶＣ装置３は、ＴＶ装置１の1394Ｉ／Ｆ部１３０に1394バス１１を介して接続されるIEEE 1394端子（図示せず）を有し、ＤＶＣ装置３によりビデオカセット４に記録された画像を再生し、この再生された画像を1394バス１１を介してＴＶ装置１に送出することによって、ＴＶ装置１でビデオカセット４内の記録画像を視聴することができる。
【００６６】
デジタルカメラ５は、静止画を撮影し、メモリカード６に記録する。このメモリカード６は、デジタルカメラ５で撮影された静止画を記録するための、書換え可能な不揮発性メモリである。このメモリカード６は、上述したように、ＴＶ装置１のメモリカードＩ／Ｆ部１７０に挿入可能であり、ＴＶ装置１は、装着されたメモリカード６から記録された静止画を読み出して見ることができる。
【００６７】
次に、ＴＶ装置１の内部構成について図２を参照しながら詳細に説明する。図２は図１のＴＶ装置の内部構成を示すブロック図である。
【００６８】
ＴＶ装置１は、図２に示すように、アンテナ１０１に接続され、アンテナ１０１により外部からのＴＶ電波が受信され、このＴＶ電波は高周波ＴＶ信号に変換されてチューナ部１０２に導かれる。チューナ部１０２は、アンテナ１０１からの高周波ＴＶ信号を増幅、選局するとともに、搬送波により変調されている高周波ＴＶ信号を復調し、この復調された信号をデコーダ部１０３へ出力する。
【００６９】
デコーダ部１０３は、チューナ部１０２により得られた信号を、画像データ、音声データと、他のデータ放送データ、電子番組ガイドデータなどの付加データとに分離し、デコードを行い、画像データは画像制御部１２１へ、音声データは音声制御部１２３へ、またその他のデータはバス１１１へそれぞれ出力される。
【００７０】
画像制御部１２１は、デコーダ部１０３からの画像データ、デコーダ部１３１、およびバス１１１を介して得られる画像データを切り替え、または合成し、これにより得られたRGB画像データと水平、垂直同期信号を、ＣＲＴ、液晶表示装置などからなる表示器１２２へ出力する。
【００７１】
表示器１２２は、画像制御部１２１からのRGB画像データと、水平、垂直同期信号を入力し、表示する。
【００７２】
音声制御部１２３は、デコーダ部１０３、デコーダ部１３１、およびバス１１１からの音声データを切り替え、または合成し、また、音量、音質、臨場感などを制御し、これにより得られた音声信号を音声出力部１２４へ出力する。
【００７３】
音声出力部１２４は、音声制御部１２３から入力された音声信号を増幅し、スピーカより音声を出力する。
【００７４】
バス１１１には、チューナ部１０２、デコーダ部１０３、デコーダ部１３１、画像制御部１２１、音声制御部１２３とともに、1394Ｉ／Ｆ部１３０、メモリ部１５０、データＲＯＭ部１６０、メモリカードＩ／Ｆ部１７０、モデム部１８０、および制御部１９０が接続されている。
【００７５】
1394Ｉ／Ｆ部130は、IEEE（Institute of Electrical and Electronics、Engineers）のIEEE 1394規格に準拠するインターフェイスであって、IEC(International Electrotechanical Commission)、1394TA(1394 Trade Association)で規定されている IEC61883規格、VCR、Panelなどのsubunit規格などに基づき制御を行う。具体的には、1394バス１１を介してＴＶ装置１と1394バス１１に接続されている機器例えばＤＶＣ装置３などの各種ＡＶ装置またはパソコンなどとの間でのデータ送受信のための制御を行う。
【００７６】
ＤＶＣ装置３の接続に関しては、画像、音声データと制御データとの分離を行い、画像、音声データはデータバス１１２を介してデコーダ部１３１へ出力される。画像、音声データ以外の制御データ、INDEX、トラック番号、撮影開始日時などの情報データ、また、ＤＶＣ視聴者（ＤＶＣ装置３により撮影された画像の視聴者）が再生、早送りなどのＤＶＣ装置３の操作を行うための、操作データなどは、バス１１１を介して入出力される。
【００７７】
メモリ部１５０には、メモリカードＩ／Ｆ部１７０からのデータ、1394Ｉ／Ｆ部１３０を介して入力される各種データ、リモコン装置２から送信された各種データ、デコーダ部１０３から出力される、EPGデータ、各種のＴＶ放送付加データなどが格納される。
【００７８】
データＲＯＭ部１６０には、ＴＶ装置１の動作に必要な、ＴＶチャネル情報、表示用フォント、アイコン、操作パネル、メッセージテキスト、リモコンなどのキーコード、各種テーブルなどが格納されている。
【００７９】
メモリカードＩ／Ｆ部１７０は、デジタルカメラ５によって撮影された静止画が記録されたメモリカード６を挿入するコネクタと、バス１１１を介して、データの読み書きを行うための制御部とからなる。
【００８０】
モデム部１８０は、ＴＶ装置１が電話回線１２を通して外部とデータのやり取りをするために使用される。例えば、モデム部１８０を介して、別の家のＴＶ装置に接続し、他のＡＶ装置とネットワーク接続を行うことによって、画像データの送受信、ＡＶ装置の制御など、あたかも他の家のＡＶ装置が、自分が視聴しているＴＶ装置１に接続されたのと同じ環境を得ることもできる。また、モデム部１８０は、ＴＶ受信において、有料放送の視聴に関する課金のための管理サーバへ視聴情報の送信、また、インターネット接続のためプロバイダへの接続などにも使用される。
【００８１】
制御部１９０は、バス１１１に接続されている上記各部を個別にかつ統括的に制御する。この制御部１９０には、リモコン制御部１４０が接続され、リモコン制御部１４０は、ＴＶ視聴者がリモコン装置２を操作した際に送信される各種データを受信し、該データを制御部１９０へ転送する。
【００８２】
制御部１９０は、ＴＶ受信に関しては、チューナ部１０２、デコーダ部１０３の制御を行い、チャネル切替、データ放送データ、電子番組ガイドデータの保存などの設定、制御を行う。
【００８３】
ＤＶＣ装置３により撮影された画像の視聴に関しては、1394Ｉ／Ｆ部１３０を制御し、ＤＶＣ装置３の接続有無の検出、ＤＶＣデータの送受信制御、また、INDEX情報、トラック番号、撮影開始日時といった情報の読み込み、ＤＶＣ装置３の操作パネルデータからの操作パネルの生成、そして、ＤＶＣ装置３の動作制御などを行う。
【００８４】
デジタルカメラ５により撮影された画像の視聴に関しては、メモリカード６の挿入有無の検出、メモリカード６からの撮影情報データ、画像データの読み込み、画像データが圧縮されている場合のデコード処理、前記撮影情報データに基づくサムネイル画面生成、また、ＤＶＣ装置３とデジタルカメラ５の撮影情報より日時情報等の比較、さらに、これらの情報に基づき、メモリカードDVC連携サムネイル画面の生成などの各処理に対する制御を行う。
【００８５】
そして、制御部１９０は、画像制御部１２１を制御し、デコーダ部１０３からのＴＶ放送画像データ、データ放送データ、電子番組データ、デコーダ部１３１からのＤＶＣ画像データ、バス１１１からのデジタルカメラ画像データ、ＤＶＣ装置３、デジタルカメラ５などのデバイスアイコン、操作パネルなどの各種画像データの切替え、合成などの表示設定、制御を行う。
【００８６】
また、制御部１９０は、同様に、音声制御部１２３を制御し、各部からの音声データの合成、出力制御を行う。これらの制御は、本ＴＶ装置１の内部状況、放送データ情報、外部に接続された装置からの情報、ＴＶ視聴者のリモコン操作などの操作データ情報などに基づき行われる。
【００８７】
さらに、制御部１９０は、リモコン制御部１４０により受信したデータの結果、またはＴＶ装置１内部の状況の変化、放送受信データ、1394Ｉ／Ｆ部１３０、メモリカードＩ／Ｆ部１７０からのデータに応じて、リモコン制御部１４０からリモコン装置２へ、制御データ、表示データなどを送信する。
【００８８】
さらに、制御部１９０内には、上記各動作に必要なワークエリアを提供するＲＡＭなどのメモリが設けられている。また、制御部１９０は、リモコン装置２と同様、年月日、曜日、時刻を計測する時計機能を有しており、曜日、時刻を管理、表示することができる。
【００８９】
次に、リモコン装置２の詳細について図３および図４を参照しながら説明する。図３は図１のリモコン装置の内部構成を示すブロック図、図４は図１のリモコン装置の各種ボタンを含む操作パネルの構成を示す上面図である。
【００９０】
リモコン装置２は、図３に示すように、キーボタン部２０１、キーコード記憶部２０２、データ送受信部２０４、表示部２０６、電池部２０７、時計部２０８およびリモコン制御部２１０を有する。
【００９１】
ここで、キーボタン部２０１は、複数のキーの内、リモコン装置２の使用者により押下されたキーを判別し、この押下されたキーに対応するキー信号を発生する。キーコード記憶部２０２は、予めＴＶ操作、設定用キーコードが格納されているＲＯＭである。
【００９２】
データ送受信部２０４は、押下されたキーに対応するキーコードなどの各種データを、ＴＶ装置１内の、リモコン制御部１４０へ送信し、またリモコン制御部１４０から送信される各種データを受信する。
【００９３】
表示部２０６は、液晶表示パネルからなり、ＴＶ装置１の各種設定、操作のための各種メニュー表示、操作パネル表示、時計表示などに使用される。また、表示部２０６には、ＴＶ装置１から送信されるキーボードパネル、操作パネル、アイコン画像、メッセージなどの情報が表示される。
【００９４】
電池部２０７は、本リモコン装置２が動作するための電源を供給するための電池を有し、この電池から上記各部への電源供給を行う。時計部２０８は、年月日、曜日、時刻を計測しており、曜日、時刻を表示部２０６へ表示する。
【００９５】
リモコン制御部２１０は、キーボタン部２０１からのキー信号に対応する処理を行い、また、必要に応じて、キーコードを送受信部２０４から送信するように制御する。
【００９６】
リモコン装置２には、図４に示すように、複数のキーが設けられている。本実施の形態では、装置上面に、ＴＶ装置１の電源のオン／オフを行う電源キー２５１、ＴＶキー２５２、ＢＳキー２５３、外部キー２５４、メニューキー２５６、上下左右のカーソルキー２５７、選択キー２５８、戻るキー２５９、音量キー２６０、巻き戻しキー２６１、再生キー２６２、早送りキー２６３、録画キー２６４、停止キー２６５、一時停止キー２６６、チャンネル選択キー２６７が設けられている。
【００９７】
ここで、ＴＶキー２５２、ＢＳキー２５３、外部キー２５４は、入力ソースの選択を行うためのキーであり、ＴＶキー２５２を押下すると、ＶＨＦ、ＵＨＦ、ＢＳ放送が受信され、ＢＳキー２５３が押下されると、ＢＳデジタル放送が入力ソースとして選択される。ＴＶ装置１にＤＶＣ装置３、メモリカード６などの外部装置が接続されている場合に外部キー２５４が押下されると、後述するように、この外部装置のデバイスアイコンがフォーカスされ（選択可能になり）、これらを選択し、ＴＶ装置１への入力ソースを決定する。複数のデバイスアイコンが表示されている場合は、外部キー２５４を押下する毎に、フォーカスが移動し、これにより所望のデバイスアイコンを選択することができる。
【００９８】
メニューキー２５６は、ＴＶ装置１の各種設定、操作画面を表示させるためのキーである。上下左右のカーソルキー２５７、選択キー２５８、戻るキー２５９は、上記各種設定、操作画面などの設定、変更を行う際に使用されるキーである。また、外部キー２５４の押下により外部装置を選択する際には、上下左右のカーソルキー２５７によってフォーカスを移動することも可能であり、このフォーカスの移動後、選択キー２５８により入力ソースの切替え処理が実行される。音量キー２６０は、音量の大小を設定するためのキーである。巻き戻しキー２６１、再生キー２６２、早送りキー２６３、録画キー２６４、停止キー２６５、一時停止キー２６６の各キーは、ＶＴＲ装置操作時に使用されるキーであって、巻き戻し、再生、早送り、録画、停止、一時停止のＶＴＲ制御機能に対応する機能キーである。チャンネルキー２６７は、通常、ＴＶチャンネル設定に使用されるが、上記メニュー操作の際に、数字入力などにも使用される。
【００９９】
また、リモコン装置２の上面には、表示部２５５（図３に示す表示部２０６に相当）が設けられている。ここには、上述したように、メニュー操作のための画面、日時などの表示、ＴＶ装置１から送信される情報データが表示される。
【０１００】
次に、ＤＶＣ装置３の詳細について図５を参照しながら説明する。図５は図１のＤＶＣ装置３の内部構成を示すブロック図である。
【０１０１】
ＤＶＣ装置３は、ＩＥＣのIEC 61884により規定されているものを基本として構成されている。また、本実施の形態では、ＤＶＣ装置３とＴＶ装置１との接続インターフェイスは、IEC61883で規定されている。
【０１０２】
ＤＶＣ装置３は、図５に示すように、ビデオカメラおよびレコーダ部（以下、ＶＣＲ部という）３０１と、時計部３０３と、データＲＯＭ部３０４と、1394Ｉ／Ｆ部３０５と、制御部３０９とを有し、これらは、互いに制御バス３０２を介して接続されている。また、ＶＣＲ部３０１と1394Ｉ／Ｆ部３０５とは、データバス３０６を介して接続されている。
【０１０３】
ＶＣＲ部３０１は、カメラ光学系部、撮像素子部、ビデオのテープ走行系機構部、このテープ走行系機構部の制御部、ビデオ信号の記録部、その再生部、その変復調部、付加情報の記録部、その再生部、ファインダー部などからなる。ここで、付加情報は、属性情報、またはメタデータと呼ばれ、ビデオ記録装置などの場合、この付加情報としては、テープの記録位置を表すトラックナンバー、記録開始インデックスＩＤ、記録年月日時、録画モード、著作権情報などがある。
【０１０４】
時計部３０３は、年月日時を計測し、その時計情報は、ＤＶＣ装置３の録画時に、上記付加情報の一つとして、ビデオカセット４（図１に示す）に書き込まれ、再生の際に利用される。
【０１０５】
データＲＯＭ部３０４には、リモート制御のために表示器１２２に表示する表示データ（操作パネル）、デバイスアイコンなどのデータが格納されている。
【０１０６】
1394Ｉ／Ｆ部３０５は、ＴＶ装置１の1394Ｉ／Ｆ部１３０と同じ構成を有し、制御バス３０２からのデータ、データバス306からのデータを、1394バス１１を介してＴＶ装置1へ転送するなど、ＤＶＣ装置３内のデータの送受信を制御、管理する。
【０１０７】
制御部３０９は、1394Ｉ／Ｆ部３０５を通して、制御に必要な情報、デバイスアイコン、操作パネルなどの各種データをＴＶ装置１へ送信する。また、制御部３０９は、ＴＶ装置１の1394Ｉ／Ｆ部１３０から送信される、再生、停止、一時停止、録画、早送り、巻き戻し、トラックNoサーチ、ピクチャーサーチなどのコマンドを受信し、該コマンドに基づきＶＣＲ部３０１の制御を行う。さらに、制御部３０９は、メモリのリード／ライトコマンドにより、後述するビデオカセット４のメモリ部４０２のデータの読み書きを行う。
【０１０８】
制御バス３０２は、上記各種データを転送するためのバスであり、このバスを介して制御部３０９によるＶＣＲ部３０１に対する制御が行われる。また、データバス３０６は、ビデオカセット４において記録、再生される画像、音声、および付加情報データを1394Ｉ／Ｆ部３０５へ転送するためのデータバスである。
【０１０９】
次に、ＤＶＣ装置３で使用されるビデオカセット４の詳細について図６および図７を参照しながら説明する。図６は図１のＤＶＣ装置で使用されるビデオカセットの内部構成を模式的に示す図、図７は図６のビデオカセット内のメモリ部のデータ構造を示す図である。
【０１１０】
ビデオテープカセット４は、図６に示すように、画像、音声、付加情報を記録するテープ部４０１と、上記付加情報の一部およびテープ部４０１の記録に関するその他情報が書き込まれるメモリ部４０２とから構成され、このビデオテープカセット４への記録／再生、読み書きは、制御部３０９により制御される。
【０１１１】
ここで、メモリ部４０２には、図７に示すように、録画開始、終了時のトラックナンバー（テープの位置）と、録画開始、終了、一時停止などのインデクスマーク、年月日時といった撮影情報が書き込まれる。本例では、計６シーンが撮影されている。このメモリ部４０２の情報の読み書きは、制御部３０９により1394Ｉ／Ｆ部１３０から送出されるリード／ライトコマンドに従って行われる。
【０１１２】
次に、デジタルカメラ５の詳細について図８および図９を参照しながら説明する。図８は図１のデジタルカメラの内部構成を示すブロック図、図９は図１のデジタルカメラで使用されるメモリカード内のデータ構造を示す図である。
【０１１３】
デジタルカメラ５は、図８に示すように、撮像部５０１、時計部５０３、データＲＯＭ部５０４、メモリカードＩ／Ｆ部５０５および制御部５０９を有し、各部は、制御バス５１０を介して接続されている。撮像部５０１は、カメラ光学系部、撮像素子部、画像信号処理部、ファインダー部、表示部より構成され、各部は制御部５０９の制御に従い処理をそれぞれ実行する。時計部５０３は、年月日時を計測し、その時計情報は、デジタルカメラ５の撮影時に、画像とともに、付加情報の一つとして、メモリカード６に書き込まれる。
【０１１４】
メモリカードＩ／Ｆ部５０５は、ＴＶ装置１のメモリカードＩ／Ｆ部１７０と同様のものであり、制御バス５１０からの画像データと付加情報データをメモリカード６へ書き込む。制御部５０９は、撮像部５０１で撮影して画像処理により処理された全画像、サムネイル画像（表示用画像）に、撮影の年月日時、場所、条件、画像サイズ、画像処理のモード、フォーマット情報などの情報を付加データとして付加し、制御バス５１０を介してメモリカードＩ／Ｆ部５０５へ転送するなどの制御を行う。
【０１１５】
ここで、デジタルカメラ５で撮影された静止画が書き込まれるメモリカード６においては、図９に示すように、全体構成として付加情報があり、それに続いて画像ファイルが格納されるデータ構造が採用されている（図９中の左図参照）。付加情報としては、最初にファイルのフォーマット情報があり、続いてこのファイルが画像ファイルであることを示す情報が格納されている。さらに、続いて、画像の数（撮影枚数）が格納され、これに続いてその他の付加情報が格納されている。そして、撮影枚数分の各画像ファイルが格納されている。
【０１１６】
各画像ファイルにおいても同様に、付加情報があり、その後に画像ファイルが格納されるような構成が採用されている（図９中の右図参照）。付加情報としては、まず本画像ファイルのフォーマット情報があり、それに続いて画像のサイズ、画像処理モード、撮影年月日時などが格納されている。この他にも、いくつかの付加情報があるが、その内容については省略する。この付加情報に続いて、サムネイル画像データ、全サイズの画像データが格納される。サムネイル画像データは、全サイズの画像データをある一定サイズに縮小することによって得られたものである。
【０１１７】
次に、ＴＶ装置１にデジタルカメラ５のメモリカード６を挿入した場合について図１０ないし図１４を参照しながら説明する。図１０は図１のＴＶ装置にデジタルカメラのメモリカードを挿入した場合のＴＶ装置の画面例を示す図、図１１は図１のＴＶ装置の画面上でメモリカードアイコンがフォーカスされたアイコンを示す図、図１２は図１のＴＶ装置でメモリカード内のサムネイル画像を表示した画面例を示す図、図１３は図１のＴＶ装置でメモリカード内に格納されている各画像の撮影年月日時の一覧を示す図、図１４は図１のＴＶ装置でメモリカード内の全サイズの画像を表示した画面例を示す図である。
【０１１８】
ＴＶ装置１にデジタルカメラ５のメモリカード６が挿入されると、図１０に示すように、ＴＶ装置１は、メモリカード６が挿入されたことをＴＶ視聴者に認識させるために、表示器１２２の画面上の左下位置に、デジタルカメラアイコン１００１いわゆるデバイスアイコンを自動的に表示する。このデバイスアイコンのデータは、データＲＯＭ部１６０内に格納され、このデータを用いてデバイスアイコンを表示するように構成されている。なお、メモリカード６内にデバイスアイコンが存在する場合には、これを使用するように構成してもよい。
【０１１９】
ここで、上記画面上でメモリカード６に対する次の処理が選択されると、図１１に示すように、画面上でデジタルカメラアイコン１００１がフォーカスされ、このフォーカスされたアイコン１００２が表示される。このフォーカスとは、選択キーによる次の処理実行の対象になったことを表すもので、上記デバイスアイコンの枠、色を変化させることによって、選択したことをユーザに認識させるようにしている。このフォーカス表示は、リモコン装置２の外部キー２５４（図４に示す）の押下によって行われ、このフォーカスがされた状態で、リモコン装置２の選択キー２５８（図４）を押下すると、当該アイコンに対する次の処理が実行される。デジタルカメラアイコンの場合、次の処理としてサムネイル画像表示が行われる。
【０１２０】
このサムネイル画像表示では、図１２に示すように、挿入されたメモリカード６内に格納されている全てのサムネル画像を一覧形式で表示器１２２の画面上に表示する。本例においては、メモリカード６の内容が運動会の各シーンを撮影したものであり、その画像枚数は２４枚である。ここで、図１３に示すように、メモリカード６内に格納されている各画像には、上述したように、撮影年月日時を示す情報が付加情報として格納されている（図９を参照）。また、No.１からNo.５までの画像が徒競走、No.６およびNo.７の画像がボールゲーム、No.８からNo.１０までの画像がダンス、No.１１からNo.１４までの画像が昼食、No．１５からNo.１９までの画像が綱引き、No.２０からNo.２４までの画像が閉会式をそれぞれ撮影したものである。各画像のサムネイル画像表示画面が表示されると、まずNo.１のサムネイル画像にフォーカス表示がされる。このフォーカス表示は、リモコン装置２の上下左右のカーソルキー２５７（図４）によって移動することが可能であり、選択キー２５８を押下すると、後述する全サイズ画像の表示に移行する。
【０１２１】
全サイズ画像の表示への移行が行われると、図１４に示すように、メモリカード６内の選択された画像の全サイズ画像が表示される。本例は、メモリカード６内のNo.４の全サイズ画像が表示された画面である。この画面上で、リモコン装置２の上下左右のカーソルキー２５７、戻るキー２５９を操作することによって、表示の移行が行われる。
【０１２２】
次に、ＴＶ装置１にＤＶＣ装置３を接続した場合について図１５ないし図１６を参照しながら説明する。図１５は図１のＴＶ装置にＤＶＣ装置を接続した場合のＴＶ装置の画面例を示す図、図１６は図１のＴＶ装置の画面上でＤＶＣ装置により再生された画像の再生画面例を示す図である。
【０１２３】
ＴＶ装置１にＤＶＣ装置３を接続すると、図１５に示すように、ＤＶＣ装置３の接続が検出され、ＴＶ装置１の表示器１２２の画面上にビデオカメラアイコンが表示される。このビデオカメラアイコンは、ＤＶＣ装置３の接続検出時に、ＤＶＣ装置３から、ＴＶ装置１に転送されるものである。ここで、リモコン装置２の外部キー２５４が押下されると、メモリカードと同様に、デジタルビデオカメラのフォーカスが行われ、選択キー２５８の押下によって、デジタルビデオアイコンに対する次の処理が実行される。この次の処理としては、ＤＶＣ装置３により再生された画像の再生画面表示が行われる。
【０１２４】
この再生画面表示が行われると、図１６に示すように、ＴＶ装置１の表示器１２２には、その画面右下位置に操作パネルが表示され、ＴＶ視聴者がリモコン装置２の上下左右のカーソルキー２５７と選択キー２５８により上記操作パネルを操作する（フォーカスを移動させ、実行させる）ことによって、ＤＶＣ装置３に対し、再生、停止、早送りなどの操作を行うことができる。これにより、ＤＶＣ装置３による画像再生、停止、巻き戻し、早送りなどが行われ、各動作に応じた画像の表示が行われる。また、リモコン装置２のＤＶＣ装置３に対する操作キー（図４の各キー２６１〜２６６）を操作することによっても、再生、停止、早送りなどの操作をすることもできる。なお、図１６中、画面左下に表示されるアイコンと文字は、画面の入力ソースがＤＶＣ装置３であることを示すためのものである。
【０１２５】
次に、ＴＶ装置１にデジタルカメラ５のメモリカード６とＤＶＣ装置３とを接続した場合について図１７ないし図２０を参照しながら説明する。図１７は図１のＴＶ装置にデジタルカメラのメモリカードとＤＶＣ装置３とを接続した場合のＴＶ装置の画面例を示す図、図１８は図１のＴＶ装置の画面上でデジタルカメラとデジタルビデオカメラとを含むアイコンがフォーカスされたアイコンを示す図、図１９は図１のＴＶ装置に表示されるメモリカードとＤＶＣ装置との同時選択画面例を示す図、図２０は図１９の画面例を拡大して示す図である。
【０１２６】
ＤＶＣ装置３とデジタルカメラ５のメモリカード６の２つのデバイスがＴＶ装置１に接続されると、図１７に示すように、上記２つのデバイスの接続が検出され、デジタルカメラとビデオカメラアイコンとを含むアイコンが表示器１２２の画面上に表示される。ここで、メモリカード６とＤＶＣ装置３には、同一の運動会で撮影された画像がそれぞれ記録されているものとし、それぞれの画像の中には、いくつかのシーンで同一の時間に撮影された画像があるものとする。このように同一時間内で撮影され関連したシーンがある場合には、デバイスアイコンとして、デジタルカメラとデジタルビデオカメラのデバイスアイコンと、この２つに関連があることを示す「結んだ紐アイコン」を上記２つのデバイスアイコンの間に表示し、これにより、ＴＶ視聴者に２つの接続装置の内容に関連があることを認識させることが可能である。メモリカード６とＤＶＣ装置３に記録された内容に関連がないときには、上記「結んだ紐アイコン」は表示されない。
【０１２７】
これらのアイコンすなわちデジタルカメラアイコン、デジタルビデオカメラアイコン、デジタルカメラとデジタルビデオカメラ同時接続アイコンの３つは、リモコン装置２の外部キー２５４でフォーカス可能であり、いずれかを選択することができる。デジタルカメラとデジタルビデオカメラ同時接続アイコンが選択されると、図１８に示すように、フォーカスされ、アイコン１００３がアイコン１００４へ変化する。
【０１２８】
ここで、デジタルカメラアイコンを選択した場合は、上述したように、図１２に示すサムネイル画像表示画面へ、デジタルビデオカメラアイコンを選択した場合は、上述したように、図１６に示すＤＶＣ装置３の再生画面へ移行する処理がそれぞれ行われる。デジタルカメラとデジタルビデオカメラ同時接続アイコンを選択すると、図１９および図２０に示すように、メモリカード６とＤＶＣ装置３の連携サムネイル画面１００５へ移行する。
【０１２９】
このメモリカード６とＤＶＣ装置３の連携サムネイル画面１００５は、ＤＶＣ装置３とメモリカード６とに時間的関連がある場合の連携サムネイルが表示された画面を表している。ここでは、ＤＶＣ装置３のメモリ部４０２の各画像の撮影年月日時と、メモリカード６内の各画像の撮影年月日時とに基づき時間的関連を有するＤＶＣ装置３の記録画像とメモリカード６の記録画像との連携サムネイル画像を表示している。
【０１３０】
この連携サムネイル画面において、ビデオマーク（画面左上）の下に位置する数字表示のアイコンは、ＤＶＣ装置３のビデオシーンアイコンであり、連続して撮影されたシーンとその時間とを示す。このＤＶＣ装置３のビデオシーンアイコンの下に位置する「黒三角」マークは、このビデオシーンに対応する時刻にデジタルカメラ５により撮影された画像がメモリカード６に存在することを表す。
【０１３１】
画面右上のカメラマークの下に位置する表示は、メモリカード６内のサムネイル画面を前記ビデオの各シーンと時間的に対応させて表示したものである。ここで、ＤＶＣ装置３のビデオシーンアイコンの右にサムネイル画像がないものは、該シーンを撮影中にデジタルカメラ５で撮影された画像が存在しないことを示しており、逆に、サムネイル画像の左にビデオシーンアイコンのないものは、デジタルカメラ５により撮影を行った時刻に、ビデオが撮影されていないことを示している。
【０１３２】
次に、本画像表示システムの動作について図２１ないし図２６を参照しながら説明する。図２１および図２２は図１のＴＶ装置における動作手順を示すフローチャートを示す図、図２３は図１のＴＶ装置によるデジタルカメラのメモリカードの画像を単独で表示する場合の動作手順を示すフローチャート、図２４は図１のＴＶ装置によるデジタルカメラのメモリカードの全サイズ画像を表示する場合の動作手順を示すフローチャート、図２５は図１のＴＶ装置によるＤＶＣ装置の画像を単独で表示する場合の動作手順を示すフローチャート、図２６は図１のＴＶ装置によるメモリカードとＤＶＣ装置の各画像を連携して表示する場合の動作手順を示すフローチャートである。各図に示す動作は、ＴＶ装置１の制御部１９０により実行される。
【０１３３】
ＴＶ視聴者がＤＶＣ装置３で撮影された画像とデジタルカメラ５で撮影された画像をそれぞれＴＶ装置１でそれぞれ視聴する場合、ＴＶ視聴者は、ＤＶＣ装置３を1394Ｉ／Ｆ部１３０に接続し、またメモリカード６をメモリカードＩ／Ｆ部１３０に挿入する。
【０１３４】
ＴＶ装置１では、図２１に示すように、まずステップＳ１０１において外部装置の接続の有無を監視する。ここで、既にある外部装置が接続された状態にあるときには、他の外部装置の接続の有無を監視することになる。外部装置の接続が検出されると、ステップＳ１０２に進み、接続された外部装置がＤＶＣ装置３であるか否かを判定する。ここで、接続された外部装置がＤＶＣ装置３でないときには、ステップＳ１０３に進み、接続された外部装置がデジタルカメラ５のメモリカード６であるか否かを判定し、接続された外部装置がメモリカード６でないときには、ステップＳ１０４に進み、接続された外部装置（ＤＶＣ装置３、メモリカード６以外の外部装置）に対応する他の処理を実行する。
【０１３５】
ステップＳ１０２において、接続された外部装置がＤＶＣ装置３であると判定されたときには、図２２に示すステップＳ１１４に進み、メモリカード６が既に接続されているか否かを判定し、メモリカード６が既に接続されていないときには、ＤＶＣ装置３のみが接続されていると判断してステップＳ１１６に進み、デジタルビデオカメラアイコンを表示する（図１５を参照）。そして、ステップＳ１１７において、デジタルビデオカメラアイコンの選択を待ち、リモコン装置２の外部キー２５４、選択キー２５８によりこのアイコンが選択されると、ステップＳ１１８に進み、ＤＶＣ装置３の画像を単独で表示するための処理を実行する。この処理の詳細については後述する。
【０１３６】
上記ステップＳ１１４においてメモリカード６が既に接続されていると判定されたときには、ステップＳ１１５に進み、ＤＶＣ装置３とメモリカード６のそれぞれに同時間に撮影された画像があるか否かを判定する。ここでは、ＤＶＣ装置３のビデオカセット４のメモリ部４０２内の録画開始、終了年月日時と、デジタルカメラ５のメモリカード６内の各画像ファイルの撮影年月日時とを比較し、ＤＶＣ装置３の録画時間内にデジタルカメラ５による撮影があったか否かを判定する。ＤＶＣ装置３とメモリカード６のそれぞれに同時間に撮影された画像がないときには、上記ステップＳ１１６に進み、以降、ＤＶＣ装置３が単独で接続されている場合と同様の処理を実行する。
【０１３７】
ＤＶＣ装置３とメモリカード６のそれぞれに同時間に撮影された画像があるときには、図２１のステップＳ１１０に進み、デジタルカメラとデジタルビデオカメラの２つのアイコンと２つに関連があることを示す「結んだ紐のアイコン」を表示する。そして、ステップＳ１１１において、アイコンの選択を待ち、リモコン装置２の外部キー２５４、選択キー２５８により所望のアイコンが選択されると、続くステップＳ１１２で、選択されたアイコンの判別を行う。ここで、選択されたアイコンがデジタルカメラアイコンであるときには、ステップＳ１０８に進み、デジタルカメラ５の画像を単独で表示するための処理を実行する。この処理の詳細については後述する。デジタルビデオアイコンが選択された場合には、ステップＳ１１８に進み、ＤＶＣ装置３の画像を単独で表示するための処理を実行する。同時接続アイコンが選択された場合には、ステップＳ１１３に進み、メモリカードとＤＶＣ装置の各画像を連携して表示するための処理を実行する。この処理の詳細については後述する。
【０１３８】
上記ステップＳ１０３において接続された外部装置がデジタルカメラ５のメモリカード６であると判定されたときには、ステップＳ１０５に進み、ＤＶＣ装置３が既に接続されているか否かを判定し、ＤＶＣ装置３が既に接続されていないときには、メモリカード６のみが接続されていると判断してステップＳ１０６に進み、デジタルカメラアイコンを表示する（図１０を参照）。そして、ステップＳ１０７において、デジタルカメラアイコンの選択を待ち、リモコン装置２の外部キー２５４、選択キー２５８によりこのアイコンが選択されると、ステップＳ１０８に進み、メモリカード６の画像を単独で表示するための処理を実行する。
【０１３９】
上記ステップＳ１０５においてＤＶＣ装置３が既に接続されていると判定されたときには、ステップＳ１０９に進み、ＤＶＣ装置３とメモリカード６のそれぞれに同時間に撮影された画像があるか否かを判定する。ここでは、ＤＶＣ装置３のビデオカセット４のメモリ部４０２内の録画開始、終了年月日時と、デジタルカメラ５のメモリカード６内の各画像ファイルの撮影年月日時とを比較し、ＤＶＣ装置３の録画時間内にデジタルカメラ５による撮影画像がメモリカード６内にあるか否かを判定する。ＤＶＣ装置３とメモリカード６のそれぞれに同時間に撮影された画像がないときには、上記ステップＳ１０６に進み、以降、メモリカード６が単独で接続されている場合と同様の処理を実行する。
【０１４０】
ＤＶＣ装置３とメモリカード６のそれぞれに同時間に撮影された画像があるときには、ステップＳ１１０に進み、デジタルカメラとデジタルビデオカメラの２つのアイコンと２つに関連があることを示す「結んだ紐のアイコン」を表示する。そして、ステップＳ１１１において、アイコンの選択を待ち、続くステップＳ１１２で、選択されたアイコンの判別を行う。ここで、選択されたアイコンがデジタルカメラアイコンであるときには、ステップＳ１０８に進み、メモリカード６の画像を単独で表示するための処理を実行する。デジタルビデオアイコンが選択された場合には、ステップＳ１１８で、ＤＶＣ装置３の画像を単独で表示するための処理を実行し、同時接続アイコンが選択された場合には、ステップＳ１１３で、メモリカードとＤＶＣ装置の各画像を連携して表示するための処理を実行する。
【０１４１】
次に、上記ステップＳ１０８による、デジタルカメラ５の画像を単独で表示するための処理について図２３を参照しながら詳細に説明する。
【０１４２】
この処理では、図２３に示すように、まずステップＳ２０１においてメモリカード６内の画像のサムネイル画像の一覧を表示する。このサムネイル画像の一覧表示では、No.１のサムネイル画像がフォーカスされた状態で表示される。そして、ステップＳ２０２で、リモコン装置２のキー押下を待ち、キーが押下されると、ステップＳ２０３に進む。
【０１４３】
ステップＳ２０３では、押下されたキーが上下左右のカーソルキー２５７であるか否かを判定し、上下左右のカーソルキー２５７が押下されたときには、ステップＳ２０７に進み、上下左右のカーソルキー２５７に応じてサムネイル画像のフォーカスを上下左右に移動する。そして、上記ステップＳ２０２に戻る。
【０１４４】
ステップＳ２０３において押下されたキーが上下左右のカーソルキー２５７でないときには、ステップＳ２０４に進み、押下されたキーが選択キー２５６であるか否かを判定し、押下されたキーが選択キー２５６であるときには、ステップＳ２０８に進み、フォーカスされているサムネイル画像No.の全サイズ画像表示処理を行う。
【０１４５】
ステップＳ２０４において押下されたキーが選択キー２５６でないときには、ステップＳ２０５に進み、押下されたキーが戻るキー２５９であるか否かを判定し、押下されたキーが戻るキー２５９であると、ステップＳ２０９に進み、カメラアイコン表示画面に戻る。
【０１４６】
ステップＳ２０５において押下されたキーが戻るキー２５９でないときには、押下されたキーがその他のキーであると判断して、ステップＳ２０６に進み、この他のキーに対応する処理へ移行する。
【０１４７】
次に、上記ステップＳ２０８の選択されたサムネイル画像の全サイズ画像の表示処理について図２４を参照しながら説明する。
【０１４８】
本処理では、図２４に示すように、まずステップＳ３０１においてサムネイル画像表示でフォーカス、選択されたNo.のサムネル画像に対応する画像を全サイズで表示し、続くステップＳ３０２で、リモコン装置２のキーの押下を待ち、このキーが押下されると、ステップＳ３０３に進む。
【０１４９】
ステップＳ３０３では、押下されたキーが左カーソルキー２５７であるか否かを判定し、左カーソルキーであるときには、ステップＳ３０８に進み、現在表示されているNo.の前のNo．のサムネイル画像に対応する画像の全サイズ表示を行う。そして、上記ステップＳ３０１に戻る。押下されたキーが左カーソルキー２５７でないときには、ステップＳ３０４に進み、押下されたキーが右カーソルキー２５７であるか否かを判定し、右カーソルキーであるときには、ステップＳ３０９に進み、現在表示されているNo.の後のNo．のサムネイル画像に対応する画像の全サイズ表示を行う。そして、上記ステップＳ３０１に戻る。
【０１５０】
押下されたキーが右カーソルキー２５７でないときには、ステップＳ３０５に進み、押下されたキーが選択キー２５６であるか否かを判定し、押下されたキーが選択キー２５６であるときには、ステップＳ３１０に進み、現在の全サイズ表示画面が連携サムネイル画像表示から移行した場合であるか否かを判定する。ここで、現在の全サイズ表示画面が連携サムネイル画像表示から移行した場合は、ステップＳ３１１に進み、ＤＶＣ装置３の画像を単独表示する画面へ移行する。これに対し、現在の全サイズ表示画面が連携サムネイル画像表示から移行した場合でないときには、現在の全サイズ表示画面がメモリカード６のサムネイル画像の単独表示から移行した場合であると判断して何ら処理を行わずにステップ３０６に進む。また、ステップＳ３０５において押下されたキーが選択キー２５６でないと判定されたときには、ステップＳ３０６に進む。
【０１５１】
ステップＳ３０６では、押下されたキーが戻るキー２５９であるか否かを判定し、押下されたキーが戻るキーであるときには、ステップＳ３１２に進み、現在の全サイズ表示画面が連携サムネイル画像表示から移行した場合であるか否かを判定し、現在の全サイズ表示画面が連携サムネイル画像表示から移行した場合であるときには、ステップＳ３１４に進み、連携サムネイル画像表示画面へ戻る。これに対し、現在の全サイズ表示画面が連携サムネイル画像表示から移行した場合でないときには、現在の全サイズ表示画面がメモリカード６のサムネイル画像の単独表示から移行した場合であると判断してステップ３１３に進み、メモリカード６のアイコン表示画面に戻る。また、ステップＳ３０６において押下されたキーが戻るキー２５９でないと判定されたときには、ステップＳ３０７に進み、押下されたキーがその他のキーであると判断して、ステップＳ２０６に進み、この他のキーに対応する処理へ移行する。
【０１５２】
次に、上記ステップＳ１１８のＤＶＣ装置３の画像を単独で表示する処理につて図２５を参照しながら説明する。
【０１５３】
本処理では、図２５に示すように、まずステップＳ４０１において、表示画面とＤＶＣ装置３操作のための操作パネルを表示する。この際、操作パネル上の再生ボタンはフォーカスされた状態にある。そして、ステップＳ４０２に進み、上記動作が連携サムネイル画像表示から移行した場合であるか否かを判定する。ここで、上記動作が連携サムネイル画像表示画面から移行した場合であるときには、ステップＳ４０９に進み、連携サムネイル画像表示画面上でフォーカス、選択されたＤＶＣ装置３で撮影されたシーンに対応する録画開始のトラックNo.をビデオカセット４のメモリ部４０２から検索し、ＴＶ装置１からＤＶＣ装置３に対し、該トラックNo.への移動のために、トラックNo.サーチコマンドを発行する。
【０１５４】
次いで、ステップＳ４１０に進み、トラックNo.サーチの完了を待ち、トラックNo.サーチが完了すると、ステップＳ４１１に進み、ＴＶ装置１からＤＶＣ装置３に対し、再生コマンドを発行し、上記選択されたシーンの再生を開始する。そして、ステップＳ４０３に進む。また、上記ステップＳ４０２において上記動作が連携サムネイル画像表示から移行した場合でないときには、上記動作がメモリカード６単独のサムネイル画像表示から移行した場合であると判断してステップＳ４０３に進む。
【０１５５】
ステップＳ４０３では、リモコン装置２のキー押下を待ち、キーが押下されると、ステップＳ４０４に進む。
【０１５６】
ステップＳ４０４では、押下されたキーが上下左右のカーソルキー２５７であるか否かを判定し、上下左右のカーソルキー２５７が押下されたときには、ステップＳ４１２に進み、上下左右のカーソルキー２５７に応じて操作パネル上の操作ボタンのフォーカスを上下左右に移動する。そして、上記ステップＳ４０３に戻る。
【０１５７】
ステップＳ４０４において押下されたキーが上下左右のカーソルキー２５７でないときには、ステップＳ４０５に進み、押下されたキーが選択キー２５６であるか否かを判定し、押下されたキーが選択キー２５６であるときには、ステップＳ４１３に進み、フォーカスされている操作ボタンに対応するＤＶＣ操作（再生、巻き戻し、早送り、一時停止など）を行う。そして、上記ステップＳ４０３に戻る。
【０１５８】
ステップＳ４０５において押下されたキーが選択キー２５６でないときには、ステップＳ４０６に進み、押下されたキーがＶＴＲ関連キー（２６１〜２６６）であるか否かを判定し、押下されたキーがＶＴＲ関連キー（２６１〜２６６）であるときには、ステップＳ４１４に進み、押下されたキーに対応するＤＶＣ操作（再生、巻き戻し、早送り、一時停止など）を行う。そして、上記ステップＳ４０３に戻る。
【０１５９】
ステップＳ４０６において押下されたキーがＶＴＲ関連キーでないときには、ステップＳ４０７に進み、押下されたキーが戻るキー２５９であるか否かを判定し、押下されたキーが戻るキー２５９であると、ステップＳ４１５に進み、現在のＤＶＣ選択表示画面が連携サムネイル画像表示から移行した場合であるか否かを判定し、現在のＤＶＣ選択表示画面が連携サムネイル画像表示から移行した場合であるときには、ステップＳ４１７に進み、連携サムネイル画像表示画面へ戻る。これに対し、現在のＤＶＣ選択表示画面が連携サムネイル画像表示から移行した場合でないときには、現在のＤＶＣ選択表示画面がデジタルビデオカメラアイコン表示画面から移行した場合であると判断してステップ４１６に進み、デジタルビデオカメラアイコン表示画面に戻る。また、ステップＳ４０７において押下されたキーが戻るキー２５９でないと判定されたときには、ステップＳ４０８に進み、押下されたキーがその他のキーであると判断して、ステップＳ４０８に進み、この他のキーに対応する処理へ移行する。
【０１６０】
次に、上記ステップＳ１１３のＤＶＣ装置３とメモリカード６とのそれぞれの画像を連携して表示するための処理について図２６を参照しながら説明する。
【０１６１】
本処理は、メモデジタルカメラとデジタルビデオカメラ同時接続アイコン（図１８）を選択することにより起動される。本処理では、図２６に示すように、まずステップＳ５０１において連携サムネイル画面表示を行う。この際、最初のＤＶＣシーンにフォーカスされた状態での表示になる。そして、ステップＳ５０２において、リモコン装置２のキー押下を待ち、このキーが押下されると、ステップＳ５０２に進み、押下されたキーが上下左右のカーソルキー２５７であるか否かを判定する。押下されたキーが上下左右のカーソルキー２５７であるときには、ステップＳ５０７に進み、カーソルキー２５７に応じてフォーカスをメモリカード６のサムネイル画像、ＤＶＣシーンアイコン間で対応する位置に移動する。そして、上記ステップＳ５０２に戻る。
【０１６２】
上記ステップＳ５０３において押下されたキーがカーソルキー２５７でないと判定されたときには、ステップＳ５０４に進み、押下されたキーが選択キー２５８であるか否かを判定し、押下されたキーが選択キー２５８であるときには、ステップＳ５０８に進む。ステップＳ５０８では、フォーカス位置がメモリカード６のサムネイル画像上にあるのかＤＶＣシーンアイコン上にあるかのかを判定し、フォーカス位置がメモリカード６のサムネイル画像上にあるときには、ステップＳ５０９に進む。ステップＳ５０９では、フォーカス位置にあるサムネイル画像に対応する全サイズ画像を表示する。これに対し、フォーカス位置がＤＶＣシーンアイコン上にあるときには、ステップＳ５１０に進み、ＤＶＣ装置３の画像選択表示へ移行する。
【０１６３】
上記ステップＳ５０４において押下されたキーが選択キー２５８でないときには、ステップＳ５０５に進み、押下されたキーが戻るキー２５９であるか否かを判定し、押下されたキーが戻るキー２５９であると、ステップＳ５１１に進み、連携サムネイル画像表示画面へ移行する。これに対し、押下されたキーが戻るキー２５９でないと判定されたときには、押下されたキーがその他のキーであると判断してステップＳ５０６に進み、この他のキーに対応する処理へ移行する。
【０１６４】
このように、本実施の形態においては、デジタルカメラの撮影年月日時は図１３に示すものであり、この撮影年月日時とビデオカセット４のメモリ部４０２内の撮影情報とを比較し、同時間に撮影された画像があると、図１９に示す連携サムネイル画像表示画面を表示する。ここで、例えば、デジタルカメラアイコンまたはデジタルビデオカメラアイコンをフォーカスし選択キー２５８を押下すると、図２３に示すメモリカード６の画像を単独で表示する処理、または、図２５に示すＤＶＣ装置３の画像を単独で表示する処理へ移行し、メモリカード６のサムネイル画像表示、ＤＶＣ装置３の操作が可能になる。
【０１６５】
一方、図１８の同時接続アイコンをフォーカス後に、選択キー２５８を押下すると、図１９に示す連携サムネイル画像表示画面が表示される。この状態では、左上の9:33〜9:41録画のＤＶＣシーンアイコンがフォーカスされている。ここで選択キー２５８を押下すると、図２５に示すＤＶＣ装置３の画像を単独で表示する処理へ移行し、図７のビデオカセット４のメモリ部４０２の情報から、上記録画開始時間対応のトラックNo.まで移動するように、ＴＶ装置１の制御部１９０は、ＤＶＣ装置３にサーチコマンドを発行し、サーチが完了すると、再生コマンドを発行する。この再生コマンドにより、図１６に示すように、自動的にビデオ再生画面となる。この後、リモコン装置、画面上の操作パネルでＤＶＣ装置３を操作することが可能になる。そして、戻るキー２５９を押下すると、図１９の連携サムネイル画像表示画面に戻る。
【０１６６】
この連携サムネイル画像表示画面上で、左カーソルキー２５７を4回押下し、メモリカードのNo.４のサムネイル画像にフォーカスを移動させ、選択キー２５８を押下すると、図２４に示す全サイズ画像を表示する処理へ移行し、図１４に示すような全サイズの画像を表示することができる。このカーソルキー２５７の押下による前後の画像を見ること、選択キー２５８の押下による図２５に示すＤＶＣ装置３の画像を単独で表示する処理への移行、戻るキー２５９の押下による図１９の連携サムネイル画像表示画面に戻ることが可能である。
【０１６７】
このように、本実施の形態では、デジタルカメラ５のメモリカード６に記録された画像と、ＤＶＣ装置３により記録された画像とを関連付けて容易に視聴することができる。
【０１６８】
（実施の第２形態）
次に、本発明の実施の第２形態について図２７ないし図３２を参照しながら説明する。図２７は本発明の実施の第２形態に係る画像表示システムの構成を示すブロック図、図２８は図２７の一方のＤＶＣ装置のビデオカセット内に設けられたメモリ部の情報の一例を示す図、図２９は図２７の一方のメモリカードに格納されている各画像の撮影年月日時の一覧を示す図、図３０は図２７のＴＶ装置に２つのメモリカードと２台のＤＶＣ装置とを接続した場合のＴＶ装置の画面例を示す図、図３１は図２７のＴＶ装置の画面上でデジタルカメラとデジタルビデオカメラとを含むアイコンがフォーカスされたアイコンを示す図、図３２は図２７のＴＶ装置に表示される連携サムネイル画像表示画面例を示す図である。
【０１６９】
本実施の形態は、上述の実施の第1形態に対し、ＴＶ装置を、２枚のメモリカードと、２台のＤＶＣ装置を接続可能に構成した点で異なる。
【０１７０】
具体的には、画像表示システムは、図２７に示すように、ＴＶ装置１およびリモコン装置２を備え、ＴＶ装置１には、1394Ｉ／Ｆ部１３０（図２に示す）を介して２台のＤＶＣ装置３，３ａが接続され、また、デジタルカメラ５，５ａのメモリカード６，６ａをそれぞれ装着可能な２つのメモリカードＩ／Ｆ部１７０，１７０ａが設けられている。
【０１７１】
ここで、上述したように、ＤＶＣ装置３ａのビデオカセット４ａのメモリ部には、図２８に示すように、録画開始、終了時のトラックナンバー（テープの位置）と、録画開始、終了、一時停止などのインデクスマーク、年月日時といった撮影情報が書き込まれる。本例では、ビデオカセット４ａには、計５シーンが録画されている。
【０１７２】
また、デジタルカメラ５ａのメモリカード６ａには、図２９に示すように、デジタルカメラ５ａで撮影、記録された各画像の撮影年月日時が記録されている。
【０１７３】
本実施の形態では、２台のＤＶＣ装置３，３ａ、２枚のメモリカード６，６ａをＴＶ装置１に接続すると、実施の第１形態と同様に、制御部１９０により、各ＤＶＣ装置３，３ａ、各メモリカード６，６ａの各画像間における時間の関連性の有無が検出され、この時間の関連があることが検出されると、図３０に示すように、２つのデジタルカメラアイコンと、２つのデジタルビデオカメラアイコンと、これらに関連があることを示す、「結んだ紐アイコン」とを含むアイコン群１００６が表示され、これにより、ＴＶ視聴者に、各ＤＶＣ装置３，３ａ、各メモリカード６，６ａの各画像間に時間の関連性があることを認識させることができる。
【０１７４】
そして、リモコン装置２の外部キー２５４で、図３１に示す4つの同時選択アイコン１００７をフォーカスし、選択キー２５８で選択すると、各ビデオカセット４，４ａ、メモリカード６，６ａの年月日時情報に基づき図３２に示す連携サムネイル画像表示画面が表示される。ここで、リモコン装置２の操作により、各メモリカード６，６ａ、各ＤＶＣ装置３，３ａの画像をそれぞれ単独に視聴することができる。
【０１７５】
上述の各実施の形態では、1394Ｉ／Ｆ部１３０を有するＴＶ装置１とＤＶＣ装置３または３ａとを接続する例を示したが、これは、従来アナログビデオカメラ装置において、専用の制御線を設ける、画像／音声信号線に制御信号を重複するなどの方法でアナログビデオカメラ装置を制御することによって、アナログビデオカメラ装置により記録された画像とメモリカードに記録された画像とを関連付けて表示することもできる。
【０１７６】
また、デジタルカメラにIEEE 1394などのＩ／Ｆが搭載されている場合、デジタルカメラをそのＩ／Ｆを介してＴＶ装置１と接続し、制御する方式を用いることによって、メモリカードをＴＶ装置１に挿入することなく、デジタルカメラに記録された画像とビデオカメラ装置により記録された画像とを関連付けて表示することができる。
【０１７７】
また、上述の各実施の形態では、ＤＶＣ装置３の録画内容を検索するために、メモリ部４０２を内蔵するビデオカセット４を使用したが、メモリ部がない場合には、カセットテープを早送りして、直接インデックスＩＤを検出し、記録開始の録画年月日時、トラックナンバーを検索することによっても、録画内容を検索することが可能である。
【０１７８】
また、動画の記録装置として、ＤＶＣ、ＶＣＭなどのテープ記録装置を使用したが、ハードディスク、ＤＶＤなどのディスクを記録メディアを用いた記録装置、さらに、メモリを記録メディアに用いた装置を用いることもできる。
【０１７９】
さらに、上述の各実施の形態では、ＤＶＣ装置、メモリカードを直接、ＴＶ装置に接続したが、モデム部１８０を経由して他の場所の装置と接続し、モデム経由で、画像データの送受信、ＡＶ装置の操作を行うことも可能である。
【０１８０】
さらに、本発明は、上述の実施形態の機能（図２１ないし図２６に示すフローチャートを含む）を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることはいうまでもない。
【０１８１】
この場合、記憶媒体から読出されたプログラムコード自体が前述した実施形態の機能を実現することになり、そのプログラムコードを記憶した記憶媒体は本発明を構成することになる。
【０１８２】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭ，ＤＶＤ−ＲＯＭなどを用いることができる。
【０１８３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることはいうまでもない。
【０１８４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることはいうまでもない。
【０１８５】
【発明の効果】
以上説明したように、本発明によれば、複数の画像記録装置により記録された画像を関連付けて表示することができる。
【図面の簡単な説明】
【図１】本発明の実施の第１形態に係る画像表示システムの構成を示すブロック図である。
【図２】図１のＴＶ装置の内部構成を示すブロック図である。
【図３】図１のリモコン装置の内部構成を示すブロック図である。
【図４】図１のリモコン装置の各種ボタンを含む操作パネルの構成を示す上面図である。
【図５】図１のＤＶＣ装置３の内部構成を示すブロック図である。
【図６】図１のＤＶＣ装置で使用されるビデオカセットの内部構成を模式的に示す図である。
【図７】図６のビデオカセット内のメモリ部のデータ構造を示す図である。
【図８】図１のデジタルカメラの内部構成を示すブロック図である。
【図９】図１のデジタルカメラで使用されるメモリカード内のデータ構造を示す図である。
【図１０】図１のＴＶ装置にデジタルカメラのメモリカードを挿入した場合のＴＶ装置の画面例を示す図である。
【図１１】図１のＴＶ装置の画面上でメモリカードアイコンがフォーカスされたアイコンを示す図である。
【図１２】図１のＴＶ装置でメモリカード内のサムネイル画像を表示した画面例を示す図である。
【図１３】図１のＴＶ装置でメモリカード内に格納されている各画像の撮影年月日時の一覧を示す図である。
【図１４】図１のＴＶ装置でメモリカード内の全サイズの画像を表示した画面例を示す図である。
【図１５】図１のＴＶ装置にＤＶＣ装置を接続した場合のＴＶ装置の画面例を示す図である。
【図１６】図１のＴＶ装置の画面上でＤＶＣ装置により再生された画像の再生画面例を示す図である。
【図１７】図１のＴＶ装置にデジタルカメラのメモリカードとＤＶＣ装置３とを接続した場合のＴＶ装置の画面例を示す図である。
【図１８】図１のＴＶ装置の画面上でデジタルカメラとデジタルビデオカメラとを含むアイコンがフォーカスされたアイコンを示す図である。
【図１９】図１のＴＶ装置に表示されるメモリカードとＤＶＣ装置との同時選択画面例を示す図である。
【図２０】図１９の画面例を拡大して示す図である。
【図２１】図１のＴＶ装置における動作手順を示すフローチャートを示す図である。
【図２２】図１のＴＶ装置における動作手順を示すフローチャートを示す図である。
【図２３】図１のＴＶ装置によるデジタルカメラのメモリカードの画像を単独で表示する場合の動作手順を示すフローチャートである。
【図２４】図１のＴＶ装置によるデジタルカメラのメモリカードの全サイズ画像を表示する場合の動作手順を示すフローチャートである。
【図２５】図１のＴＶ装置によるＤＶＣ装置の画像を単独で表示する場合の動作手順を示すフローチャートである。
【図２６】図１のＴＶ装置によるメモリカードとＤＶＣ装置の各画像を連携して表示する場合の動作手順を示すフローチャートである。
【図２７】本発明の実施の第２形態に係る画像表示システムの構成を示すブロック図である。
【図２８】図２７の一方のＤＶＣ装置のビデオカセット内に設けられたメモリ部の情報の一例を示す図である。
【図２９】図２７の一方のメモリカードに格納されている各画像の撮影年月日時の一覧を示す図である。
【図３０】図２７のＴＶ装置に２つのメモリカードと２台のＤＶＣ装置とを接続した場合のＴＶ装置の画面例を示す図である。
【図３１】図２７のＴＶ装置の画面上でデジタルカメラとデジタルビデオカメラとを含むアイコンがフォーカスされたアイコンを示す図である。
【図３２】図２７のＴＶ装置に表示される連携サムネイル画像表示画面例を示す図である。
【符号の説明】
１  ＴＶ装置
２  リモコン装置
３  ＤＶＣ装置
４  ビデオカセット
５  デジタルカメラ
６  メモリカード
１１  1394バス
１０３，１３１  デコーダ部
１２２  表示器
１３０  1394Ｉ／Ｆ部
１７０  メモリカードＩ／Ｆ部
１９０  制御部
【図１】
0004500431.tif 000002
【図２】
0004500431.tif 000003
【図３】
0004500431.tif 000004
【図４】
0004500431.tif 000005
【図５】
0004500431.tif 000006
【図６】
0004500431.tif 000007
【図７】
0004500431.tif 000008
【図８】
0004500431.tif 000009
【図９】
0004500431.tif 000010
【図１０】
0004500431.tif 000011
【図１１】
0004500431.tif 000012
【図１２】
0004500431.tif 000013
【図１３】
0004500431.tif 000014
【図１４】
0004500431.tif 000015
【図１５】
0004500431.tif 000016
【図１６】
0004500431.tif 000017
【図１７】
0004500431.tif 000018
【図１８】
0004500431.tif 000019
【図１９】
0004500431.tif 000020
【図２０】
0004500431.tif 000021
【図２１】
0004500431.tif 000022
【図２２】
0004500431.tif 000023
【図２３】
0004500431.tif 000024
【図２４】
0004500431.tif 000025
【図２５】
0004500431.tif 000026
【図２６】
0004500431.tif 000027
【図２７】
0004500431.tif 000028
【図２８】
0004500431.tif 000029
【図２９】
0004500431.tif 000030
【図３０】
0004500431.tif 000031
【図３１】
0004500431.tif 000032
【図３２】
0004500431.tif 000033